(57)【要約】【課題】  薄型で携帯、保管に場所をとらず、非常時等に瓶や缶など、適宜のものを効率的に加温又は保温できる携帯用巻き付け型加温・保温器を提供する。【解決手段】  鉄粉、水、活性炭、木粉、バーミキュライト、食塩等から成る酸化反応型加熱剤を密封した袋から構成した薄型の発熱体１を、略長方形の柔軟性のある布製のシート２の一面に接着剤により取り付け、このシート２の一面の一端部に雄の面ファスナー３を設け、このシート２の他面の、上記雄の面ファスナー３と反対側の一端部に雌の面ファスナー４を設けた加温・保温器であり、これを不要時は真空パックして袋に入れておくものである。【選択図】  図１   
0003109136.tif 000002
【実用新案登録請求の範囲】
【請求項１】
袋に酸化反応型加熱剤を入れて密封した薄型の発熱体を、シートの一面に取り付け、当該シートを加熱又は保温する物体に巻きつけて使用することを特徴とする、携帯用巻き付け型加熱・保温器。
【請求項２】
上記シートを加温又は保温する物の外周に巻き付けた際の、重合するシートの両端部付近に係止具を設けたことを特徴とする、上記請求項１に記載の携帯用巻き付け型加熱・保温器。
【請求項３】
上記シートが布、又は合成樹脂製であることを特徴とする、上記請求項１又は２に記載の携帯用巻き付け型加熱・保温器。
【請求項４】
上記発熱体をシートの一面に複数個並べて取り付けたことを特徴とする、上記請求項１、２又は３のいずれかに記載の携帯用巻き付け型加熱・保温器。
【請求項５】
上記シートの一面への発熱体の取り付けは、シートの一面に発熱体を載せ、この上から別のシートを被せてこの状態で二枚のシートを縫い込み、又は接着したことを特徴とする、上記請求項１、２、３、又は４のいずれかに記載の携帯用巻き付け型加熱・保温器。
【請求項６】
上記シートの一面への発熱体の取り付けは、シートの一面にポケットを設け、当該ポケットに発熱体を入れて取り付けたことを特徴とする、上記請求項１、２、３、又は４のいずれかに記載の携帯用巻き付け型加熱・保温器。
【請求項７】
上記シートの一面への発熱体の取り付けは、着脱自在に取り付けたことを特徴とする、上記請求項１、２、３、又は４のいずれかに記載の携帯用巻き付け型加熱・保温器。
【考案の詳細な説明】
【技術分野】
【０００１】
この考案は、授乳用の哺乳瓶、飲料用ペットボトル又は缶等、その他適宜のものに巻き付けて、これらを加熱、保温する、携帯に便利な巻き付け型加熱・保温器に関するものである。
【背景技術】
【０００２】
従来、携帯用の加熱容器は、発熱体と反応水を分離して備えおり、当該容器に酒の缶や瓶を入れて、紐やレバー等を引っ張ると、上記水が発熱体と混合して発熱し、缶や瓶を加熱するものがある。また、人体の加温又は保温用の、酸化反応型加熱剤を袋に収納した、いわゆる携帯用使い捨てカイロがある。
【考案の開示】
【考案が解決しようとする課題】
【０００３】
しかしながら、上記前者のものは、不使用時に発熱体と反応水とを分離して備えておき、使用時にこれらを混合させなければならず、その点で、装置の構造が複雑となり、製造コストも高いものであり、かつ発熱体の取り扱いに多大の注意を必要とする等の欠点があった。また、後者のものは、人体の腰や、足裏等に当ててその付近を温めるものであり、その使用形態が単一のものであった。従って、このような袋に入った携帯用使い捨てカイロでは、裸火が禁じられている災害初期段階や緊急時に、瓶や缶に入った授乳用のミルクや飲料水を効率的に温めたりすることができない。
【０００４】
この考案は、これらの点に鑑みて為されたものであり、薄型で携帯、保管に場所をとらず、非常時等に瓶や缶など、適宜のものを効率的に加温又は保温できる携帯用巻き付け型加温・保温器を提供し、上記課題を解決しようとするものである。
【課題を解決するための手段】
【０００５】
そこで、請求項１の考案は、袋に酸化反応型加熱剤を入れて密封した薄型の発熱体を、シートの一面に取り付け、当該シートを加熱又は保温する物体に巻きつけて使用する、携帯用巻き付け型加熱・保温器とした。また、請求項２の考案は、上記請求項１の考案において、上記シートを加温又は保温する物の外周に巻き付けた際の、重合するシートの両端部付近に係止具を設けたものである。また、請求項３の考案は、上記請求項１又は２の考案において、上記シートが布、又は合成樹脂製である、携帯用巻き付け型加熱・保温器とした。また、請求項４の考案は、上記請求項１、２又は３のいずれかの考案において、上記発熱体をシートの一面に複数個並べて設けた携帯用巻き付け型加熱・保温器とした。
【０００６】
また、請求項５の考案は、上記請求項１、２、３又は４のいずれかの考案におけるシートの一面への発熱体の取り付けは、シートの一面に発熱体を載せ、この上から別のシートを被せてこの状態で二枚のシートを縫い込み、又は接着する構造とした。また、請求項６の考案は、上記請求項１、２、３又は４のいずれかの考案におけるシートの一面への発熱体の取り付けは、上記シートの一面にポケットを設け、当該ポケットに発熱体を入れて取り付けた携帯用巻き付け型加熱・保温器とした。また、請求項７の考案は、上記請求項１、２、３又は４のいずれかの考案におけるシートの一面への発熱体の取り付けは、着脱自在に取り付けた携帯用巻き付け型加熱・保温器とした。
なお、この考案の上記請求項１〜７の各加温・保温器は、保管時、携帯時は加温・保温器自体又は発熱体が袋に収納され、密封されており、使用時に袋から取り出すと、袋を通して、酸化反応型加熱剤が空気に触れて反応し、発熱するものである。
【考案の効果】
【０００７】
請求項１の考案によれば、授乳用のミルクや飲料水のボトルや缶に当該加熱・保温器を巻き付けて一定時間おいておけば、巻き付けた発熱体が発熱し、かつ外周のシートが断熱材となって、効率よく上記ミルクや飲料水を加温し、温かいミルクや飲料水を呑むことができる。また、上記発熱体の酸化反応型加熱剤の量や種類を調整したり、断熱材を調節すれば、上記ミルク等を容易に人肌に温めたりすることができる。従って、裸火が禁じられている災害初期段階や緊急時の加温に極めて便利である。また、この加熱・保温器は薄型の発熱体をシートに取り付けているため、薄型でコンパクトであるため、保管時、携帯時に嵩張らず、取り扱いが容易である。また、この加温・保温器を使用する加温又は保温すべき物は、ミルクや飲料水の入った瓶や缶等に限らず、立体形状の大きなものから小さなものまで、広く巻き付けて加温又は保温することが出来るものであれば使用できる。
【０００８】
また、請求項２の考案によれば、シートの両端部付近に係止具を設けているため、当該加温・保温器を加温又は保温使用とするものに、巻き付けて容易に係止することが出来、極めて便利である。また、請求項３の考案は、シートを布や、樹脂製としたため、シートが断熱材となり、発熱体の熱を効率よく使用することができる。さらに、請求項４の考案は、シートの一面に複数個の発熱体を並べて設けたため、当該加温・保温器がより柔軟に曲がり、加温又は保温しようとする物体の外周にあわせて容易に曲げることができ、発熱体と当該物体とが密着し、より熱効率のよいものとなる。
【０００９】
また、請求項５の考案によれば、発熱体両面がシートに被われているため、発熱体が発熱しても、使用者は直に発熱体に触れることがなく、また、加温温度も抑えられ、安全である。また、請求項６の考案によれば、発熱体をそのままシートに設けたポケットに入れるため、発熱体を容易に取り替えることができ、必要とする加温温度や保温時間にあわせて発熱体を選ぶことができる。また、市販の発熱体、特に上記使い捨てカイロをそのまま使用することもでき、手軽にこの考案の加熱・保温器を使用することができる。また、請求項７の考案は、発熱体が粘着テープ等で、シートに着脱自在に取り付けられているため、発熱体を容易に取り替えることが出来、必要とする加温温度や保温時間にあわせて発熱体を選ぶことができる。
【考案を実施するための最良の形態】
【００１０】
袋に酸化反応型加熱剤を入れて密封した薄型の発熱体を、布製のシートの一面に取り付け、当該シートを加熱又は保温する物体に巻きつけて使用する際の重合するシートの両端部付近に係止具を設けた、携帯用巻き付け型加熱・保温器とした。これにより、授乳用のミルクや飲料水のボトルや缶に当該加熱・保温器を巻き付けて一定時間おいておけば、巻き付けた発熱体が発熱し、かつ外周のシートが断熱材となって、効率よく上記ミルクや飲料水を加温することができる。
【実施例１】
【００１１】
図1はこの考案の実施例１の正面図であり、図２は同背面図、図３は同平面図である。
鉄粉、水、活性炭、木粉、バーミキュライト、食塩等から成る酸化反応型加熱剤を密封した袋から構成した薄型の発熱体１を、略長方形の柔軟性のある布製のシート２の一面に接着剤により貼り付け、このシート２の一面の一端部に雄の面ファスナー３を設け、このシート２の他面の、上記雄の面ファスナー３と反対側の一端部に雌の面ファスナー４を設けた加温・保温器である。これを不要時は真空パックして袋に入れておく。
【００１２】
そして、ミルク等の加温時に、この袋を開け、当該加温・保温器を取り出し、図４及び図５に示すように、ミルク等の瓶５に、発熱体１が瓶５の外周に当たるようにシート２を巻き付け、重合したシート２の端部付近の上記雌の面ファスナー４に雄の面ファスナー３を係止させ、当該シート２を瓶５の外周に巻き付けておく。これにより、上記発熱体１が空気と触れて反応し、発熱する。この際、当該発熱体１は布製のシート２で被われているため、熱が外部に漏れず、効率的に瓶５の内部のミルク等は加温される。また、上記発熱体１の酸化反応型加熱剤の量や他の混合物の調整により、加温温度を容易に調整でき、授乳用ミルクの適温である人肌に加温することが出来る。
そして上記のように使用し終わると捨てる。このようにこの加温・保温器はシート２に上記発熱体１を貼り付けた、構造の簡単な使い捨ての加温・保温器であるため、製造コストを安く抑えることが出来る。
【００１３】
この実施例１では、シート２を布製としたが、樹脂製のシート２でも良く、その他材質には限定されない。また、シート２の両面の両端部付近に、雄、雌の面ファスナー３、４を設けているが、これらの係止具は、スナップや紐等でもよく、他の係止具でも使用できる。また、この加温・保温器を使用する加温又は保温すべき物は上記ミルクや飲料水の入った瓶や缶等に限らず、立体形状の大きなものから小さなものまで、広く巻き付けて加温又は保温することが出来るものであればよい。その際、シート２や発熱体１の大きさを変えれば、容易に適用することができる。
【実施例２】
【００１４】
実施例２の加温・保温器は、上記実施例１のものとほぼ同じであり、図６に示すように、発熱体１を二個に分け、夫々の発熱体１をシート２に貼着したもので、これにより、当該加温・保温器の柔軟性が増し、加熱又は保温使用とする物の外周に巻き付けやすくなる。また、発熱体１の内部の酸化反応型加熱剤を均一に分散させ、加温の効率を良くしたものである。
【実施例３】
【００１５】
実施例３の加温・保温器は、上記実施例１及び２とほぼ同じであり、図７に示すように、発熱体１を多数個に分け、夫々の発熱体１をシート２に貼着したもので、これにより、当該加温・保温器の柔軟性が増し、加熱又は保温しようとする物の外周に巻き付けやすくなる。また、発熱体１の内部の酸化反応型加熱剤を均一に分散させ、加温の効率を良くしたものである。
【００１６】
また、この考案は、上記実施例１で述べたように、シート２に発熱体１を貼り付けた、使い捨ての簡易な加温・保温器であるが、以下の構成及び以下の実施例の構成とすることも考えられる。例えば、シート２への発熱体の取り付けを面ファスナー、粘着テープ、両面粘着テープ等によって、発熱体１をシート２に着脱自在に取り付けるようにしても良い。この様にすると、発熱体１を適宜容易に取り替えることができる。
【実施例４】
【００１７】
実施例４の加温・保温器は、図８に示すように、上記発熱体１を、略長方形の柔軟性のある布製のシート２の一面に載せ、この上から別途用意した、略長方形の柔軟性のある布製のシート２を被せ、これらのシート２を縫い付けることにより、上記発熱体１をシート２に固定したものである。他の構造は、上記実施例１のものと同じである。この場合、上記に替えて、２倍の大きさのシート２を用意し、これを二つ折りにしてその間に発熱体１を挟んで、縫っても良い。また、さらに二つのシート２を接着剤で貼り付けても良い。
【実施例５】
【００１８】
実施例５の加温・保温器は、図９に示すように、上記シート２の一面にポケット６を縫いつけ、このポケット６に上記発熱体１を収納したものである。他の構造は上記実施例１ものと同じである。
【図面の簡単な説明】
【００１９】
【図１】この考案の実施例１の加温・保温器の正面図である。
【図２】この考案の実施例１の加温・保温器の背面図である。
【図３】この考案の実施例１の加温・保温器の平面図である。
【図４】この考案の実施例１の加温・保温器の使用状態を示す斜視図である。
【図５】この考案の実施例１の加温・保温器の使用状態を示す平面図である。
【図６】この考案の実施例２の加温・保温器の正面図である。
【図７】この考案の実施例３の加温・保温器の正面図である。
【図８】この考案の実施例４の加温・保温器の正面図である。
【図９】この考案の実施例５の加温・保温器の正面図である。
【符号の説明】
【００２０】
１      発熱体    
２      シート                    
３      雄の面ファスナー
４      雌の面ファスナー        
５      瓶
６      ポケット            
【図１】
0003109136.tif 000003
【図２】
0003109136.tif 000004
【図３】
0003109136.tif 000005
【図４】
0003109136.tif 000006
【図５】
0003109136.tif 000007
【図６】
0003109136.tif 000008
【図７】
0003109136.tif 000009
【図８】
0003109136.tif 000010
【図９】
0003109136.tif 000011
【手続補正書】
【提出日】平成16年12月7日(2004.12.7)
【手続補正１】
【補正対象書類名】図面
【補正対象項目名】全図
【補正方法】変更
【補正の内容】
【図１】
0003109136.tif 000012
【図２】
0003109136.tif 000013
【図３】
0003109136.tif 000014
【図４】
0003109136.tif 000015
【図５】
0003109136.tif 000016
【図６】
0003109136.tif 000017
【図７】
0003109136.tif 000018
【図８】
0003109136.tif 000019
【図９】
0003109136.tif 000020